(57)【特許請求の範囲】
【請求項１】
指示と、当該指示を出力するための条件 とを受けつける第１受付部と、
前記第１受付部において受けつけた条件に対応した情報 を検索して取得する検索部と、
前記検索部において取得した情報と、前記第１受付部において受けつけた条件をもとに、前記第１受付部において受けつけた指示を出力すべき範囲を導出する導出部と、
前記第１受付部において受けつけた指示の出力候補となる 端末装置から、少なくとも当該端末装置の位置 情報を受けつける第２受付部と、
前記第２受付部において受けつけた情報をもとに、前記導出部において導出した範囲に含まれた端末装置を特定する特定部と、
前記特定部において特定した端末装置に対して、前記第１受付部において受けつけた指示を出力する出力部と、
を備え、 
前記第１受付部において受けつけた条件は、位置、方向、距離を含み、
前記検索部において取得した情報は、前記第１受付部において受けつけた条件に含まれた位置に対応した風向き、風速であり、
前記導出部は、前記検索部において取得した風向き、風速と、前記第１受付部において受けつけた条件に含まれた位置、方向、距離とをもとに、範囲を導出 することを特徴とする処理装置
【請求項２】
前記検索部において取得した情報は、将来的に予測される情報であり、
前記出力部は、将来的に予測される情報に応じて、指示の内容を変更することを特徴とする請求項１に記載の処理装置。
【請求項３】
指示装置と、
前記指示装置に接続された処理装置と、
前記処理装置に接続された複数の端末装置とを備え、
前記処理装置は、
前記指示装置から、指示と、当該指示を出力するための条件とを受けつける第１受付部と、
前記第１受付部において受けつけた条件に対応した情報を検索して取得する検索部と、
前記検索部において取得した情報と、前記第１受付部において受けつけた条件をもとに、前記第１受付部において受けつけた指示を出力すべき範囲を導出する導出部と、
前記複数の端末装置のそれぞれ から、少なくとも端末装置の位置 情報を受けつける第２受付部と、
前記第２受付部において受けつけた情報をもとに、前記導出部において導出した範囲に含まれた端末装置を特定する特定部と、
前記特定部において特定した端末装置に対して、前記第１受付部において受けつけた指示を出力する出力部とを備え、
前記第１受付部において受けつけた条件は、位置、方向、距離を含み、
前記検索部において取得した情報は、前記第１受付部において受けつけた条件に含まれた位置に対応した風向き、風速であり、
前記導出部は、前記検索部において取得した風向き、風速と、前記第１受付部において受けつけた条件に含まれた位置、方向、距離とをもとに、範囲を導出す ることを特徴とする通信システム。
【発明の詳細な説明】
【技術分野】
【０００１】
本発明は、処理技術に関し、特に端末装置に指示を出力する処理装置、通信システムに関する。
【背景技術】
【０００２】
複数の端末装置に情報を配信した際、当該情報は、すべてのユーザにとって有用であるとは限らない。そのため、適切に選択された配信先に情報を配信することが好ましい。配信先を選択する場合に、位置情報が使用される（例えば、特許文献１参照）。
【先行技術文献】
【特許文献】
【０００３】
【特許文献１】特開２０１３−１５０２４５号公報
【発明の概要】
【発明が解決しようとする課題】
【０００４】
情報を配信すべき範囲は、自然現象等によって時間とともに変わる場合がある。時間による変化に合わせて、情報を配信すべき範囲を手動で設定することも可能であるが、配信者の手間が多くなる。
【０００５】
本発明はこうした状況に鑑みてなされたものであり、その目的は、情報を配信すべき範囲を簡易に設定する技術を提供することである。
【課題を解決するための手段】
【０００６】
上記課題を解決するために、本発明のある態様の処理装置は、指示と、当該指示を出力するための条件とを受けつける第１受付部と、第１受付部において受けつけた条件に対応した情報を検索して取得する検索部と、検索部において取得した情報と、第１受付部において受けつけた条件をもとに、第１受付部において受けつけた指示を出力すべき範囲を導出する導出部と、第１受付部において受けつけた指示の出力候補となる端末装置から、少なくとも当該端末装置の位置情報を受けつける第２受付部と、第２受付部において受けつけた情報をもとに、導出部において導出した範囲に含まれた端末装置を特定する特定部と、特定部において特定した端末装置に対して、第１受付部において受けつけた指示を出力する出力部と、を備え、前記第１受付部において受けつけた条件は、位置、方向、距離を含み、前記検索部において取得した情報は、前記第１受付部において受けつけた条件に含まれた位置に対応した風向き、風速であり、前記導出部は、前記検索部において取得した風向き、風速と、前記第１受付部において受けつけた条件に含まれた位置、方向、距離とをもとに、範囲を導出 することを特徴とする。
【０００７】
本発明の別の態様は、通信システムである。この通信システムは、指示装置と、指示装置に接続された処理装置と、処理装置に接続された複数の端末装置とを備える。処理装置は、指示装置から、指示と、当該指示を出力するための条件とを受けつける第１受付部と、第１受付部において受けつけた条件に対応した情報を検索して取得する検索部と、検索部において取得した情報と、第１受付部において受けつけた条件をもとに、第１受付部において受けつけた指示を出力すべき範囲を導出する導出部と、複数の端末装置のそれぞれから、少なくとも端末装置の位置情報を受けつける第２受付部と、第２受付部において受けつけた情報をもとに、導出部において導出した範囲に含まれた端末装置を特定する特定部と、特定部において特定した端末装置に対して、第１受付部において受けつけた指示を出力する出力部とを備え、前記第１受付部において受けつけた条件は、位置、方向、距離を含み、前記検索部において取得した情報は、前記第１受付部において受けつけた条件に含まれた位置に対応した風向き、風速であり、前記導出部は、前記検索部において取得した風向き、風速と、前記第１受付部において受けつけた条件に含まれた位置、方向、距離とをもとに、範囲を導出す ることを特徴とする。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、情報を配信すべき範囲を簡易に設定できる。
【図面の簡単な説明】
【００１０】
【図１】本発明の実施例に係る通信システムの構成を示す図である。
【図２】図１の処理装置の構成を示す図である。
【図３】図１の指示装置から送信される信号のフォーマットを示す図である。
【図４】図２の導出部において導出される範囲の概要を示す図である。
【図５】図１の端末装置から送信される信号のフォーマットを示す図である。
【図６】図６（ａ）−（ｂ）は、端末装置に表示されるメッセージを示す図である。
【図７】図１の通信システムによる指示手順を示すシーケンス図である。
【発明を実施するための形態】
【００１１】
本発明を具体的に説明する前に、まず概要を述べる。本発明の実施例は、ユーザが所持する端末装置に情報を配信する通信システムに関する。ここでは、一例として、ユーザは、災害救助を実行すべき消防隊員などの隊員であるとし、端末装置は、業務用無線システム、携帯電話システム等の無線通信システムに対応した装置であるとする。また、端末装置に配信すべき情報は、避難を促すための指示であるとする。災害救助の場面において、風下に相当する危険な区域（以下、「危険区域」という）で活動する隊員に対しては、危険回避のために避難を指示する必要がある。一方、他の区域で活動する隊員に対しては、避難を指示する必要がない。そのため、通信システムにおける処理装置には、危険区域で活動する隊員を特定し、特定した隊員が所持する端末装置のみに指示を送信することが求められる。
【００１２】
このような特定をするために、端末装置は処理装置にコンディションデータを定期的に送信する。コンディションデータには、端末装置において取得した位置情報が含まれる。コンディションデータを受信した処理装置は、位置情報をもとに危険区域内に存在しているか否かを判定する。その際、危険区域が指定されなければならない。危険区域は、人為的に入力されてもよいが、風向きや風速は時間とともに変化するので、危険区域の再入力が必要になってくる。これによって指示の配信者（以下、「指示者」という）の手間が多くなるとともに、再入力が遅れることによって危険区域の信頼性が低くなる。そのため、危険区域は、自動的に更新されるべきである。
【００１３】
これに対応するために、処理装置は、災害が発生した位置、危険区域を設定すべき方向および距離の情報が含まれたプロパティデータを受けつけると、プロパティデータに含まれた位置での風向きおよび風速をインターネット検索して取得する。また、処理装置は、取得した風向きおよび風速と、プロパティデータに含まれた位置、方向、距離をもとに危険区域を導出する。
【００１４】
図１は、本発明の実施例に係る通信システム１００の構成を示す。通信システム１００は、指示装置１０、ネットワーク１２、処理装置１４、サーバ１６、基地局装置１８、端末装置２０と総称される第１端末装置２０ａ、第２端末装置２０ｂ、第Ｎ端末装置２０ｎを含む。
【００１５】
指示装置１０は、指示者によって操作される装置であり、例えば、ＰＣ（Ｐｅｒｓｏｎａｌ  Ｃｏｍｐｕｔｅｒ）である。指示装置１０は、キーボード等の操作部を有し、指示者は、操作部を操作することによって、指示等を指示装置１０に入力する。また、指示者は、操作部を操作することによって、プロパティデータも指示装置１０に入力する。指示とプロパティデータの具体例については、後述するが、プロパティデータとは、指示者によって入力される指示内容についての対象地域や難易度、時間などの基本情報である。なお、プロパティデータの入力の際、フォーム等が使用される。指示装置１０は、ネットワーク１２を介して処理装置１４へ指示を送信するが、それにプロパティデータが付随される。
【００１６】
ネットワーク１２は、さまざまな装置間のデータを送受信する。ネットワーク１２は、任意のものでよい。ネットワーク１２は、有線ネットワークでもよく、無線ネットワークでもよく、それらの組合せであってもよい。基地局装置１８は、無線通信システムに対応し、後述の複数の端末装置２０を接続する。前述のごとく、無線通信システムとして、業務用無線システム、携帯電話システム等が使用されるが、これらは公知の技術であるので、ここでは説明を省略する。
【００１７】
端末装置２０は、基地局装置１８と同一の無線通信システムに対応して、基地局装置１８と通信する。また、端末装置２０は、基地局装置１８を介して、他の端末装置２０と通信することも可能である。さらに、端末装置２０は、基地局装置１８、ネットワーク１２を介して、処理装置１４、サーバ１６と通信する。端末装置２０は、コンディションデータを定期的に処理装置１４に送信する。コンディションデータの具体例については、後述するが、コンディションデータとは、自局の位置情報、経由局情報、生体情報等である。
【００１８】
サーバ１６は、ネットワーク１２に接続され、処理装置１４、端末装置２０等と通信可能である。サーバ１６は、各種のサービスを提供しており、例えば、天候や災害の被害状況等を報告する。なお、サーバ１６によって提供されるサービスは、これら以外であってもよい。サーバ１６に対して情報を検索することが、インターネット検索することに相当する。
【００１９】
処理装置１４は、ネットワーク１２に接続される。処理装置１４は、ネットワーク１２を介して、指示装置１０からの指示およびプロパティデータを受信する。また、処理装置１４は、ネットワーク１２を介して、各端末装置２０からのコンディションデータを定期的に受信する。処理装置１４は、プロパティデータとコンディションデータとをもとに、端末装置２０に送信すべき情報である指示を自動的にコーディネートする。さらに、処理装置１４は、ネットワーク１２、基地局装置１８を介して端末装置２０に指示を送信する。その際、処理装置１４は、プロパティデータをもとにサーバ１６を検索することによって、天候や災害の被害状況等を自動的にサーバ１６から取得し、情報のコーディネートや送信の際に補完する。
【００２０】
図２は、処理装置１４の構成を示す。処理装置１４は、第１受付部３０、検索部３２、導出部３４、第２受付部３６、特定部３８、出力部４０を含む。第１受付部３０は、図示しないネットワーク１２を介して指示装置１０に接続され、指示装置１０から、指示とプロパティデータを受けつける。指示は、端末装置２０を所持した隊員に対して避難することを示す。また、プロパティデータは、位置、方向、距離を含み、指示を出力するための条件といえる。
【００２１】
例えば、プロパティデータによって、次の条件１と条件２とが示される。条件１は、ある地点を基準として、風上に対し１３５°から２２５°の領域であり、条件２は、ある地点を基準として、風速に対し１０倍の距離までの領域である。なお、ある地点は災害、例えば火災の発生地点に相当する。このように定められる領域が、前述の危険区域であり、その中に存在する隊員に対して、避難の指示が送信されるべきである。条件１、条件２のうち、「ある地点」に対応した「位置」、「１３５°から２２５°」に対応した「方向」、「１０倍の距離」に対応した「距離」がパラメータとしてプロパティデータに含まれる。一方、条件１、条件２のうち、「風上」に対応した「風向き」と、「風速」は時間と共に変化するので、プロパティデータに含まれない。図３は、指示装置１０から送信される信号のフォーマットを示す。図示のごとく、指示、条件が含まれており、条件には、「位置Ｐ」、「方向Ｄ」、「距離Ｒ」が含まれる。「方向Ｄ」、「距離Ｒ」はそれぞれの事象に対して指示者により設定され、避難指示の規模を決定するパラメータとなる。図２に戻る。第１受付部３０は、指示を出力部４０に出力し、条件を検索部３２、導出部３４に出力する。
【００２２】
検索部３２は、第１受付部３０からの条件を受けつけ、条件から「位置Ｐ」を抽出する。検索部３２は、抽出した「位置Ｐ」に対応した情報を検索するために、ネットワーク１２を介してサーバ１６にアクセスする。ここで、「位置Ｐ」に対応した情報とは、「風向き」、「風速」である。その際、検索部３２は、現在の「風向き」、「風速」だけではなく、将来的に予測される「風向き」、「風速」も取得する。将来的とは、例えば、１時間後である。これは、「風向き」、「風速」が時間とともに変化することを想定するためである。検索部３２は、取得した情報、将来的な情報を導出部３４に出力する。
【００２３】
導出部３４は、第１受付部３０からの条件を受けつけるとともに、検索部３２からの情報、将来的な情報を受けつける。導出部３４は、情報と条件とをもとに危険区域を導出する。具体的には、検索部３２において取得した「風向き」、「風速」と、第１受付部３０において受けつけた条件に含まれた「位置Ｐ」、「方向Ｄ」、「距離Ｒ」とをもとに、危険区域が導出される。危険区域は、第１受付部３０において受けつけた指示を出力すべき範囲である。
【００２４】
ここでは、危険区域の導出を具体的に説明する。図４は、導出部３４において導出される範囲の概要を示す。ここで、「風向き」が「ｘ」と示され、「風速」が「ｙ」と示される。まず、災害の発生地点である「位置Ｐ」が設定されるとともに、「位置Ｐ」から見た風上へ向かう軸線が方向「ｘ」と設定される。また、方向「ｘ」を中心にして、「位置Ｐ」から風下方向に「方向Ｄ」で広がる領域が形成される。さらに、「距離Ｒ」×「ｙ」が、「位置Ｐ」からの領域の長さとして計算される。その結果、図４に示された扇形の形状の領域が、危険区域として導出される。
【００２５】
例えば、現在の「風速」が「５ｍ／ｓｅｃ」であり、「距離Ｒ」が「１０」である場合、現在の危険区域の長さは、「５０ｍ」になる。一方、１時間後の「風向き」はそのままで、「風速」が「１０ｍ／ｓｅｃ」になるのであれば、１時間後の危険区域の長さは、「１００ｍ」になる。導出部３４は、現在の危険区域を導出するとともに、将来の危険区域も導出する。図２に戻る。導出部３４は、導出した危険区域に関する情報を特定部３８に出力する。
【００２６】
第２受付部３６は、図示しないネットワーク１２、基地局装置１８を介して、複数の端末装置２０と接続されており、各端末装置２０からのコンディションデータを定期的に受けつける。各端末装置２０は、第１受付部３０において受けつけた指示の出力候補となる。図５は、端末装置２０から送信される信号のフォーマットを示す。信号には、「端末装置ＩＤ」、「位置情報」が含まれる。「端末装置ＩＤ」は、各端末装置２０を識別するための情報であり、端末装置２０ごとに異なった情報である。位置情報は、端末装置２０が存在する位置を示す情報であり、例えば、端末装置２０に内蔵されたＧＰＳ（Ｇｌｏｂａｌ  Ｐｏｓｉｔｉｏｎｉｎｇ  Ｓｙｓｔｅｍ）受信部（図示せず）において測位される。位置情報は、例えば、緯度と経度で示される。図２に戻る。第２受付部３６は、コンディションデータを特定部３８に出力する。
【００２７】
特定部３８は、導出部３４からの危険区域に関する情報を受けつけるとともに、第２受付部３６からのコンディションデータを受けつける。特定部３８は、コンディションデータに含まれた位置情報をもとに、危険区域に含まれた端末装置２０の端末装置ＩＤを特定する。なお、危険区域には、現在の危険区域と、将来的な危険区域とが含まれているので、それぞれに対して、特定部３８は端末装置ＩＤの特定を実行する。その結果、特定部３８は、現在の危険区域に含まれた端末装置ＩＤを特定するとともに、現在の危険区域には含まれていないが将来的な危険区域に含まれる端末装置ＩＤとを特定する。特定部３８は、特定した端末装置ＩＤを出力部４０に出力する。
【００２８】
出力部４０は、第１受付部３０からの指示を受けつけるとともに、特定部３８からの端末装置ＩＤを受けつける。出力部４０は、端末装置ＩＤの端末装置２０に対して、第１受付部３０において受けつけた指示をネットワーク１２、基地局装置１８経由で出力する。特に、出力部４０は、現在の危険区域に含まれた端末装置ＩＤの端末装置２０に対して、第１受付部３０において受けつけた指示を出力する。図６（ａ）−（ｂ）は、端末装置２０に表示されるメッセージを示す。図６（ａ）は、現在の危険区域に含まれた端末装置ＩＤの端末装置２０に備えられた表示部に表示されるメッセージを示す。第１受付部３０からの指示である「至急避難せよ」がそのまま表示される。図２に戻る。
【００２９】
一方、出力部４０は、現在の危険区域には含まれていないが将来的な危険区域に含まれる端末装置ＩＤの端末装置２０に対して、指示の内容を変更してから送信する。図６（ｂ）は、現在の危険区域には含まれていないが将来的な危険区域に含まれる端末装置ＩＤの端末装置２０に備えられた表示部に表示されるメッセージを示す。出力部４０において変更された指示の内容として、「１時間以内に避難せよ」が表示される。
【００３０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３１】
以上の構成による通信システム１００の動作を説明する。図７は、通信システム１００による指示手順を示すシーケンス図である。指示装置１０は、処理装置１４に対して、プロパティデータ付情報を送信する（Ｓ１０）。処理装置１４は、サーバ１６に対して検索を実行する（Ｓ１２）。サーバ１６は、処理装置１４に対して、風向き、風速を送信する（Ｓ１４）。処理装置１４は、危険区域を導出する（Ｓ１６）。端末装置２０は、処理装置１４に対して、コンディションデータを送信する（Ｓ１８）。処理装置１４は、端末装置２０を特定する（Ｓ２０）。処理装置１４は、端末装置２０に対して、指示を送信する（Ｓ２２）。端末装置２０は、避難の指示を表示する（Ｓ２４）。
【００３２】
本実施例によれば、検索して取得した情報を反映させて危険区域を導出するので、情報が変化する場合でも危険区域を自動的に更新できる。また、情報が変化する場合でも危険区域が自動的に更新されるので、情報を配信すべき範囲である危険区域を簡易に設定できる。また、危険区域に含まれた端末装置に指示を送信するので、指示を必要とする端末装置だけに送信を実行できる。また、指示を必要とする端末装置だけに送信が実行されるので、不要な送信を抑制できる。また、時間とともに変化しうる風向き、風速を検索して取得するので、風向き、風速が変化しても、それに追従するように危険区域を設定できる。また、将来的に予測される情報をもとに危険区域を設定した場合、指示の内容を変更するので、危険性を隊員に知らせることができる。
【００３３】
処理装置において端末装置全体のバランスを監視しながら、各端末装置への指示を自動的に制御できる。また、端末装置は処理装置側でコーディネート(フィルタリング)された情報のみを受信するので、情報の氾濫による業務の非効率化を回避できる。また、端末装置は処理装置側でコーディネート(フィルタリング)された情報のみを受信するので、隊員の選択負担を回避できる。また、指示に関係する天気や気温、災害の予報や被災地の情報のみを自動的に処理装置で補完し伝達するため、隊員にとって必要な情報のみを発信できる。
【００３４】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３５】
本発明の実施例において、指示装置１０は、プロパティデータに、位置、方向、距離を含め、風向き、風速を検索で取得し、端末装置２０は、コンディションデータに位置情報を含めている。しかしながらこれに限らず、プロパティデータ、検索結果、コンディションデータに他の情報が含まれてもよい。本変形例によれば、本実施例の適用範囲を拡大できる。
【符号の説明】
【００３６】
１０  指示装置、  １２  ネットワーク、  １４  処理装置、  １６  サーバ、  １８  基地局装置、  ２０  端末装置、  ３０  第１受付部、  ３２  検索部、  ３４  導出部、  ３６  第２受付部、  ３８  特定部、  ４０  出力部、  １００  通信システム。
【図１】
0006369360.tif 000002
【図２】
0006369360.tif 000003
【図３】
0006369360.tif 000004
【図４】
0006369360.tif 000005
【図５】
0006369360.tif 000006
【図６】
0006369360.tif 000007
【図７】
0006369360.tif 000008